Podtech/llm-jp-corpus-v4-ja_patent huggingface dataset:
(57)【要約】      （修正有）【課題】業務用であっても、一般家庭用であっても、厨房で広く使用されている蓋付き容器にあっては、調理中に着脱する蓋板をその内面側を下方に向けてまな板上や調理台上に置いておくことが多いから、蓋板が細菌に感染し易くなり、衛生上問題になっていたことに鑑み、常に衛生に配慮した蓋付き容器を提供する。【解決手段】所定形状と容積から成る容器体１の周縁部に形成した鍔部２の一部に細巾開口部３を設け、容器体１に載置する蓋体４の周縁部５の一部に細巾開口部３に嵌挿する突片６を設け、この突片６を容器体１の細巾開口部３に嵌挿して起立せしめるようにする。【選択図】図１
0003157636.tif 000002
【実用新案登録請求の範囲】
【請求項１】
所定形状と容積から成る容器体の周縁部に形成した鍔部の一部に細巾開口部を設け、前記容器体に被套する蓋体の周縁部の一部に前記細巾開口部に嵌挿する突片を設け、この蓋体の突片部を前記容器体の細巾開口部に嵌挿して起立せしめるようにすることを特徴とする蓋付き容器。
【請求項２】
蓋体が透明性に成ることを特徴とする請求項１に記載した蓋付き容器。
【考案の詳細な説明】
【技術分野】
【０００１】
本考案は、調理用蓋付き容器に関するものである。
【背景技術】
【０００２】
従来、ホテルなどの業務用であっても、一般家庭用であっても、厨房で広く使用されている蓋付き容器にあっては、調理中に着脱する蓋板をその内面側を下方に向けてまな板上や調理台上に置いておくことが多いから、蓋板が細菌に感染し易くなり、衛生上問題になっていた。
【０００３】
そのような欠点を解消する工夫はこれまで特に採られて来なかったようであり、同分類の次に示す公知文献にあっても、前記のような問題点を解消するものではなかった。
【先行技術文献】
【特許文献】
【０００４】
【特許文献１】登録実用新案第３０４０３６３号公報
【特許文献２】特開２００５−２３９２８６号公報
【考案の概要】
【考案が解決しようとする課題】
【０００５】
そこで、本考案は、前記のとおり調理用の蓋付き容器の欠点を解消し、常に衛生に配慮した蓋付き容器を提供することを目的とするものである。
【課題を解決するための手段】
【０００６】
本考案は、所定形状と容積から成る容器体の周縁部に形成した鍔部の一部に細巾開口部を設け、前記容器体に被套する蓋体の周縁部の一部に前記細巾開口部に嵌挿する突片を設け、この蓋体の突片部を前記容器体の細巾開口部に嵌挿して起立せしめるようにするものである。
【考案の効果】
【０００７】
本考案の蓋体にあっては、まな板上や調理台上などに、手持ちした蓋体の内面側を載置するようなことはせず、必ず容器体の周縁鍔部上に起立して空間上に置くことから、不衛生な状態とはならず、確実に雑菌等の感染防止となる。
【図面の簡単な説明】
【０００８】
【図１】全体の使用前の斜視図
【図２】全体の使用中の斜視図
【図３】全体の不使用時の斜視図
【考案を実施するための形態】
【０００９】
いま調理中に、容器体内部に食材を収容したいときは、蓋体が邪魔になるから、蓋体をその周縁鍔部に設けた突片を、容器体の周縁鍔部の細巾開口部に嵌挿して起立しておく。（図１→図２参照）
【００１０】
食材の容器体への収容が終了した後は、再び蓋体の突片を容器体の細巾開口部から離脱して、蓋体を容器体の開口部上に被套する。（図３参照）
【実施例】
【００１１】
１は適当な形状と容積から成る容器体で、その材質は金属製や合成樹脂製を問わない。
【００１２】
２は前記容器体１の開口周縁部に形成した鍔部で、この鍔部の巾長さは任意である。
【００１３】
３は前記容器体１の周縁鍔部２の適所に設けた細巾開口部で、その長さは任意である。
【００１４】
４は前記容器体１の開口部の周縁鍔部２上に載置する蓋体で、この蓋体の周縁鍔部５の一部に、前記容器体１の開口鍔部２の細巾開口部３に嵌挿する突片６を設ける。
【００１５】
この蓋体４は、図示するように透明性合成樹脂材によって構成してもよいし、容器体１と同材の金属製であってもよい。
【００１６】
７は前記蓋体４の外側中央部に設けた摘みである。
【符号の説明】
【００１７】
１                    容器体
２                    周縁鍔部
３                    細巾開口部
４                    蓋体
５                    周縁鍔部
６                    突片
７                    摘み
【図１】
0003157636.tif 000003
【図２】
0003157636.tif 000004
【図３】
0003157636.tif 000005
(57)【要約】      （修正有）【課題】鉢植えを装飾用入れ物に入れたとき両者間に隙間を生じない鉢植えの装飾用入れ物を提供する。【解決手段】装飾用入れ物１０は、鉢植えを据える底部１６と、底部を取り巻き、底部の上方に伸びる側部２０であって、交互の山折り部２２と谷折り部２４、２６とからなり、間隔をおいて設けられた穴２８を有する側部と、穴に通された紐３０とを含み、穴は底部と側部の上縁３４との間に設けられている。【選択図】図１
0003157627.tif 000002
【実用新案登録請求の範囲】
【請求項１】
鉢植えの装飾用入れ物であって、前記鉢植えを据える底部と、該底部を取り巻き、前記底部の上方に伸びる側部であって、交互の山折り部と谷折り部とからなり、間隔をおいて設けられた穴を有する側部と、前記穴に通された紐とを含み、
前記穴は、前記底部と前記側部の上縁との間に設けられている、鉢植えの装飾用入れ物。
【請求項２】
前記紐の一端部及び他端部が通された留め具を含む、請求項１に記載の装飾用入れ物。
【考案の詳細な説明】
【技術分野】
【０００１】
本考案は、鉢植えの装飾用の入れ物に関する。
【背景技術】
【０００２】
従来、花屋は、鉢植えを客の求めに応じて装飾用の入れ物に入れ、見栄えを良くして販売している。
【０００３】
この鉢植えの装飾用入れ物には、シート状材料から成るものがある（特許文献１）。
【先行技術文献】
【特許文献】
【０００４】
【特許文献１】実用新案登録第３１２００９０号
【０００５】
特許文献１に記載されたシート状材料から成る鉢植えの装飾用入れ物は、該入れ物の底部と、該底部を取り巻き、前記底部の上方に伸びる側部とを有する。この側部は、交互の山折り部と谷折り部とから成り、前記山折り部は、該山折り部の裏側で接着されている。
【０００６】
鉢植えの装飾用入れ物は、該入れ物に鉢植えを入れることにより、鉢植えの鉢を覆い隠し、入れ物の側部の形状、模様、色彩等の外観により鉢植えを装飾する。
【０００７】
ところで、上記装飾用入れ物は、該入れ物に鉢植えを入れたとき、鉢植えの鉢の大きさの違いにより入れ物と鉢植えとの間に隙間が生じ、装飾用入れ物に入れられた鉢植えの見栄えを損なう。
【考案の概要】
【考案が解決しようとする課題】
【０００８】
本考案の目的は、鉢植えを装飾用入れ物に入れたとき両者間に生じる隙間をなくすことにある。
【課題を解決するための手段】
【０００９】
本考案に係る鉢植えの装飾用入れ物は、前記鉢植えを据える底部と、該底部を取り巻き、前記底部の上方に伸びる側部であって、交互の山折り部と谷折り部とからなり、間隔をおいて設けられた穴を有する側部と、前記穴に通された紐とを含み、前記穴は前記底部と前記側部の上縁との間に設けられている。
【００１０】
前記紐は結ばれてもよいし、前記紐の一端部及び他端部が留め具に通され、該留め具で締められてもよい。
【考案の効果】
【００１１】
本考案によれば、入れ物の側部に通された紐を引っ張ることにより、山折り部及び谷折り部は絞られ、側部と鉢植えとの間の隙間をなくすことができる。
【図面の簡単な説明】
【００１２】
【図１】本考案に係る鉢植えの入れ物の斜視図。
【図２】鉢植えが入れられた図１に示す鉢植えの入れ物の斜視図。
【考案を実施するための形態】
【００１３】
以下、本考案の実施の形態について、詳細に説明する。
【実施例１】
【００１４】
図１を参照すると、本考案に係る鉢植えの入れ物が全体に符号１０で示されている。
【００１５】
鉢植えの装飾は、図２に示すように、入れ物１０に鉢植え１２を入れることによる。入れ物１０に鉢植え１２を入れることにより、該鉢植えの鉢の全部と、該鉢に植え込まれた草花の一部とが入れ物１０によって覆われる。
【００１６】
シート状材料１４を折って成る入れ物１０は、該入れ物に入れられる鉢植え１２を置く底部１６と、該底部を取り巻いて上方に伸びる側部２０とを備える。側部２０は、鉢植え１２を受け入れる筒状の空間１８を規定する。側部２０は、交互の山折り部２２及び谷折り部２４、２６から成り、山折り部２２のそれぞれは、穴２８を備える。この穴２８は、山折り部２２において底部１６と側部２０の上縁３４との間、好ましくは、図示のように中央上方の位置に設けられている。穴２８の位置は、シート状材料１４の剛性を考慮して底部１６と側部２０の上縁３４との間で適宜に選択することができる。穴２８には、紐３０が通されている。
【００１７】
入れ物１０の底部１６はほぼ正方形の平面形状を有する。山折り部２２は、該山折り部の裏側で接着されている。山折り部２２は該山折り部の裏側の複数の箇所３２で点状に接着されている。接着箇所３２は、山折り部２２の任意の位置に設けることができる。山折り部２２の裏側で接着することにより、山折り部２２は開かずに折られた状態が維持され、これにより前記筒状の空間１８が維持される。山折り部２２の接着は、シート状材料１４が前記熱溶融性の合成樹脂からなる場合には超音波溶接のような熱溶着によって容易に行うことができる。
【００１８】
シート状材料１４は、前記合成樹脂材料の他、紙、天然繊維等の材料からなる。シート状材料１４は、また前記不織布からなるものの他、織布、プラスチックフィルム等からなるものであってもよい。
【００１９】
紐３０は、山折り部２２のそれぞれに設けられた穴２８に順に通され、側部２０を取り囲んでいる。
【００２０】
紐３０は、入れ物１０の使用時、その一端部３６と他端部３８とを引っ張ることにより、側部２０を絞り、該側部を成す山折り部２２及び谷折り部２６を鉢植え１２に近接させるように側部２０の形状を変形させる。こうして、入れ物１０と鉢植え１２との間の隙間をなくすことができる。
【００２１】
紐３０は、該紐の一端部３４と他端部３６とを蝶結びなどの結びで結ぶことにより、入れ物１０と鉢植え１２との間の隙間をなくした状態を維持する。
【００２２】
図１の例に代え、入れ物１０は、紐３０の一端部３６及び他端部３８に通された留め具４０を備える（図２）。留め具４０は、人手により紐３０に沿って進退させることができ、該紐を締め又は緩めることができる。留め具４０は、該留め具と紐３０との間に生ずる摩擦力により紐３０が緩むことを防止し、入れ物１０と鉢植え１１との間に隙間が生じないように維持する。
【符号の説明】
【００２３】
１０                    装飾用入れ物
１２                    鉢植え
１４                    シート状材料
１６                    底部
２０                    側部
２２                    山折り部
２４、２６              谷折り部
２８                    穴
３０                    紐
３４                    上縁
３６                    紐の一端部
３８                    紐の他端部
４０                    留め具
【図１】
0003157627.tif 000003
【図２】
0003157627.tif 000004
(57)【要約】      （修正有） 【課題】スカートのめくれ上がりを防止するスカート押さえ具を提供する。【解決手段】可撓性を有するつなぎ部１の一端にスカートの腰ベルト部分や装着しているベルトに掛けられるように、戻り止め５を有するクリップ部３を備える。他端には、スカート押さえのための面のある部を有する。自転車乗車時の腰下の前屈にあわせてつなぎ部を反り曲げ、つなぎ部の反発力を利用してスカートを押さえ込む。【選択図】図１
0003157321.tif 000002
【実用新案登録請求の範囲】
【請求項１】
可撓性を有するつなぎ部の一端に戻り止めを有するクリップ部を備え、他端にスカート押さえ部を有するスカート押さえ具。
【考案の詳細な説明】
【技術分野】
【０００１】
本考案は、スカートのめくれ上がりを防止するための道具に関するものである。
【背景技術】
【０００２】
自転車に乗車するときにはズボンを着用するとは限らず、スカートを着用することもある。しかし、適当な道具がなかったので、多くは手でスカートを押さえていた。
【考案の概要】
【考案が解決しようとする課題】
【０００３】
自転車に乗車するときにはズボンを着用するとは限らず、スカートを着用する場合もある。スカートを着用していると、風などでめくれ上がることがある。これを防止するために片手でスカートを押さえると、運転を残りの片手ですることになり危険である。舞い上がるスカートに気がとられやすいので、運転に集中できなくなる。スカートのめくれ上がりを防止する道具がない。
【課題を解決するための手段】
【０００４】
本考案は、可撓性を有するつなぎ部の一端に戻り止めを有するクリップ部を備え、他端にスカート押さえ部を有するスカート押さえ具である。
本体のつなぎ部には、太もも前部においてスカートを押さえることができる面をもつ部分を下側に続けて備え、上側にはスカートの腰ベルト部分や装着しているベルトに掛けられるように戻り止めのついたクリップを設けた、反り曲げができ反発力がある硬質素材のスカート押さえ具。
【考案の効果】
【０００５】
腰において衣類に掛けるだけでよく、片手を自転車のハンドルからはずすことなくスカートのめくれ上がりを防止できる。片手運転をせず運転にも集中でき、危険運転の防止になる。
【図面の簡単な説明】
【０００６】
【図１】本考案の斜視図
【図２】縦断面図
【図３】起立時装着図
【図４】自転車乗車時を想定した装着図
【考案を実施するための形態】
【０００７】
本考案は、可撓性を有するつなぎ部に面を大きくしたスカートを押さえる部分を下側に連続させ、上側には腰の位置でベルトとかスカートの上端部に簡単に装着できるように戻り止めのついたクリップを備える。本考案は自転車乗車時の体の形にあわせて短冊部が反ることができる。短冊部の反発力を利用してスカートを押さえ込む。金属や樹脂など硬質素材とする。
【実施例】
【０００８】
本考案は、図１に示したように、つなぎ部１にスカート押さえ部２が続き、スカートの腰部分または着衣のベルトに掛けられるようにつなぎ部１の上の端にクリップ部３を備える。なお、スカート押え部２はつなぎ部１と同じ幅でもよいが、幅を広くすれば抑えに安定性が増す。
【０００９】
本考案のつなぎ部１は反り曲げができ、反発力によってすぐに元に戻るものとする。
つなぎ部１は短冊状でも、棒状でもかまわない。
【００１０】
図１に示したように、スカート押え部２はつなぎ部１の下につき、太もも前部でスカートを押さえるようにする。スカートを押さえるための面を有す。
【００１１】
スカート押え部２は、図２に示したように、先端は表側に反っている。これは、先端が足にあたってくいこんだりしないようにと、自転車をこぐ足の上下運動により動くスカートの生地を先端がひっかけて巻き込まないためである。スカート接地面は滑らかにする。
【００１２】
スカート押え部２の形について、図１には円状のものをあげたが、スカートを押さえるための面の確保と押さえる強度を有していれば形を変えることは可能である。面に絵や字を書くことも可能である。
【００１３】
図１に示したように、腰から本考案を下げるために、つなぎ部１の上側にクリップ部３を備える。支点４で折り曲げた形のクリップにし、支点４がちょう番の役目をする。クリップ部３の衣類の内側になる側の先端はすこし反らせて、本考案の着脱時にクリップ部３を広げるための指掛けがしやすくしておく。
【００１４】
図２に示したように、クリップ部３の合わせ面には、はさんだ衣類が抜けないようにそれぞれの面にギザギザの山形をつけて戻り止め５とする。両面が合致するようにする。
【００１５】
図３は起立時装着図である。スカートの腰部分または着衣のベルトにクリップ部３を掛け、本考案を腰からぶら下げるようにする。スカート押え部２が太もも前部にあたるように装着する。
【００１６】
図４は自転車乗車時を想定した装着図である。自転車のサドルに腰掛けると腰から下は前屈するので、本考案を反り曲げることで体にそうようにする。本考案は反り曲がるが反発力があり、この反発力によりスカートを押さえ込む。
【００１７】
足にくいこんだりスカートの生地を引っ掛けないように、角をとる。
【産業上の利用可能性】
【００１８】
樹脂製でも金属性でも加工できる。スカート押え部は、押さえる力がそがれない限り形を自由にでき、面の内部のくりぬきも可能である。樹脂製は色が選べる。絵や字の書き込みも可能である。単一素材で作れるので、コストが抑えられる。交通安全の一端を担うことができる。
【符号の説明】
【００１９】
１    つなぎ部
２    スカート押え部
３    クリップ部
４    支点
５    戻り止め
６    スカート押さえ具
【図１】
0003157321.tif 000003
【図２】
0003157321.tif 000004
【図３】
0003157321.tif 000005
【図４】
0003157321.tif 000006
(57)【要約】      （修正有）【課題】印鑑ケースの金枠ヒンジの両端部の粗面や角張りをなくし、手触りや見栄えを良くし、手や糸に引っかかることのない金枠ヒンジを提供する。【解決手段】一対の外側パイプシャフト２ａ及び２ｂと、一対の内側パイプシャフト３ａ及び３ｂからなる印鑑ケースの金枠ヒンジにおいて、上記外側パイプシャフト２ａ及び２ｂの外側端面に、頭部Ｒ状のピン１ａ及び１ｂを装着し、金枠ヒンジの両端の粗面や角張りをなくす。  【選択図】図１
0003157378.tif 000002
【実用新案登録請求の範囲】
【請求項１】
一対の外側パイプシャフトと、一対の内側パイプシャフトからなる印鑑ケースの金枠ヒンジにおいて、上記外側パイプシャフトの外側端面に頭部R状のピンを装着し金枠ヒンジの両端の粗面や角張りをなくしたことを特徴とする印鑑ケースの金枠ヒンジ。  
【考案の詳細な説明】
【技術分野】
【０００１】
本考案は、印鑑ケースの金枠ヒンジに使用されるパイプシャフトに関するものである。
【背景技術】
【０００２】
従来の印鑑ケースの金枠ヒンジの外側端部分においては、端面にほとんど加工が施されていないパイプシャフトがそのまま使用され、切断されたままの粗い端面が露出した状態となっていた。
【先行技術文献】
【特許文献】
【０００３】
【特許文献１】実用新案登録第３１４６３２７号公報
【考案の概要】
【考案が解決しようとする課題】
【０００４】
外側端部が加工されていない金枠ヒンジの印鑑ケースは、手に持った時の手触りが悪いだけでなく、手を傷つけたり、ポケットやカバンにいれて持ち運んだ時に、糸等に引っかかったり、一緒に入れたものを傷つける等の問題があった。
そこで、本考案は、金枠ヒンジのパイプ外側端部の粗面や角張りをなくすことにより、上記問題を解決しようとするものである。
【課題を解決するための手段】
【０００５】
本考案は、一対の外側パイプシャフトと一対の内側パイプシャフトからなる印鑑ケースの金枠ヒンジにおいて、板バネの芯金を短くし、上記外側パイプシャフトの外側端面にパイプと同径で、頭の部分がR状のピンを装着することにより問題点を解決している。
【考案の効果】
【０００６】
以上のように、金枠ヒンジの外側に端部に頭部がR状のピンを装着することによって、印鑑ケースの金枠ヒンジ端部の粗面や角張りはなくなり、見栄えがよくなった。そして、手触りが良くなり、手や糸等に引っかかることもなく、鞄等に一緒に入れていたものを傷つける等の問題が解消された。
【考案を実施するための形態】
【０００７】
以下、添付図面に従って、本考案に係る印鑑ケースの金枠ヒンジに頭部R状のピンを使用した実施形態を詳細に説明する。
図１は本考案に係る印鑑ケースの金枠ヒンジに、頭部R状のピンを使用した、開いた状態の印鑑ケースの正面図である。
図２は本考案に係る印鑑ケースの金枠ヒンジに、頭部R状のピンを使用した端部を示す平面図である。
図３は本考案に係る印鑑ケースの金枠ヒンジに、頭部R状のピンを使用した外側パイプシャフトを示す斜視図である。
【０００８】
１は頭部がR状のピンで１ａと１ｂの一対になっている。２は金枠ヒンジの外側パイプシャフトで２ａと２ｂの一対になっている。３は金枠ヒンジの内側パイプシャフトで３ａと３ｂの一対になっている。４は外側パイプあとに残されたカシメ跡であり、４ａと４ｂの一対になっている。５は板バネ状の芯金である。
【０００９】
金枠ヒンジの全長より１０ミリほど短い板バネ状の芯金５をヒンジ中央部分に位置するように外側パイプシャフトを４ａと４ｂでカシメ、２ａと２ｂの両端から内部の空間に、頭部R状のピン１ａと１ｂを装着する。
【図面の簡単な説明】
【００１０】
【図１】開いた状態の印鑑ケースの正面図である。
【図２】頭部R状のピンを装着した端部を示す平面図である。
【図３】頭部R状のピンを装着した外側パイプシャフトを示す斜視図である。
【符号の説明】
【００１１】
１  頭部R状のピン
２  外側パイプシャフト
３  内側パイプシャフト
４  カシメ跡
５  板バネ状の芯金  
【図１】
0003157378.tif 000003
【図２】
0003157378.tif 000004
【図３】
0003157378.tif 000005
(57)【要約】【課題】携帯電話等の携帯機器（６）をしっかり持てるようにし、落下を防止するための保持補助装置を提供すること。その保持補助装置が携帯機器（６）から剥がれにくい構造とすること。【解決手段】シート状で柔軟性がある素材で作られ、指を通す穴（２）をあけられた指ストラップ本体（１）を、粘着部（３）を持つ貼り付け基板（４）を介して携帯機器（６）に貼り付ける。【選択図】図１
0003157380.tif 000002
【実用新案登録請求の範囲】
【請求項１】
本体がシート状で柔軟性のある素材で出来ていて、指を通すための穴を開けられた、携帯機器に貼り付けて使用する指ストラップ。
【請求項２】
携帯機器への貼り付け部に、粘着部を設けられた曲がりにくい板が固着されていることを特徴とする、請求項１記載の指ストラップ。
【考案の詳細な説明】
【技術分野】
【０００１】  この考案は、携帯電話や携帯ゲーム機や携帯音楽プレイヤーに装着する指ストラップに関する。
【背景技術】
【０００２】  従来、携帯電話や携帯ゲーム機や携帯音楽プレイヤー等の携帯機器のほとんどは、それを持つ時の指のひっかかりを良くするための工夫がなく、操作中に誤って落下させてしまうことがあった。【０００３】  携帯機器に取り付けるストラップは、指または手首を通すことで持ち歩き中の落下を防止することができるが、その状態では機器を操作しにくくなる場合があり、また従来のストラップに指または手首を通すために多少の手間と時間がかかって面倒という問題がある。このため従来のストラップは本来の目的よりも、単なるアクセサリーとして使われていることが多い。【０００４】  特許文献１では、携帯電話を片手で安定保持させるために、携帯電話の背面側に指などを掛止保持する手段を設けることを提案し、７種類の実施例を示している。このうちの第三実施例を図２に示す。この実施例は、シート状のプラスチックで略四角形の形状とし、その略左半分を掛止本体（７）とし、右半分を掛止保持体（８）とすると共に該掛止保持体（８）の略中央部をくり抜き状に形成して指掛け部（９）とし、且つ該掛止保持体（８）は、平面状から起きるように揺動可能に設け、また該本体１の裏面側に粘着テープなどの固着部（１０）を設けている。【０００５】  特許文献１の第三実施例では、掛止本体（７）および掛止保持体（８）を柔軟なシート状のプラスチックで作った場合、掛止本体（７）に直接粘着テープなどの固着部（１０）を設けているため、指掛け部（９）に指を掛けて引っ張ると、図３に示すように固着部（１０）が容易に剥がれはじめてしまうという問題がある。
【先行技術文献】
【特許文献】
【０００６】
【特許文献１】特願２００１−４０２３００
【考案の概要】
【考案が解決しようとする課題】
【０００７】  携帯機器の操作中に、誤って携帯機器を落下させてしまうことを防止するための保持補助具を提供する。【０００８】  携帯機器に貼り付ける保持補助具が、容易に剥がれないような構造にする。
【課題を解決するための手段】
【０００９】  本考案は、シート状で柔軟な素材で作られ、指（５）を通す穴（２）をあけられた指ストラップ本体（１）を、粘着部（３）を持つ貼り付け基板（４）を介して携帯機器（６）に貼り付ける。
以上の構成よりなる携帯機器の保持を補助する指ストラップである。【００１０】  貼り付け基板（４）をある程度の堅さを持つ曲がりにくい材質で作れば、指ストラップの本体（１）の指を通す穴（２）に指を通して、携帯機器（６）に対して引っ張る力をかけた場合、粘着部（３）のうちの広い面積に対して引っ張る力がかかる。このため粘着部（３）は、携帯機器（６）から容易に剥がれない。
【考案の効果】
【００１１】  携帯機器を手で持つ時の保持力を補助し、電車の車内など使用者の体が不安定な状態での携帯機器の操作を安定させるとともに、落下を防止する。【００１２】  貼り付け基板（４）の効果により、装着した携帯機器（６）から容易に剥がれなくなる。【００１３】  粘着部（３）に、粘着力の弱い再剥離性粘着材を使用しても、通常の使用では剥がれる可能性が低くなる。再剥離性粘着材を使用した場合、指ストラップを交換するために強い力をかけて引きはがしても、携帯機器側に粘着跡が残らない。【００１４】  指ストラップ本体（１）がシート状で薄いため、使用しない時に邪魔にならない。【００１５】  使用していない時には、指ストラップ本体（１）および指を通す穴（２）が、携帯機器に対して常に一定の位置にあるため、携帯機器を手に持った後の指一本の曲げ伸ばし動作だけで簡単に素早く指を通す穴（２）に指を通すことができる。
【図面の簡単な説明】
【００１６】
【図１】  本考案の一実施形態の、携帯電話に装着した場合の使用例を示す斜視図である。
【図２】  特許文献１の第三実施例の斜視図である。
【図３】  特許文献１の第三実施例において、固着部が携帯電話から剥がれかけた状態を示す斜視図である。
【図４】  本考案の一実施形態を表側から見た斜視図である。
【図５】  本考案の一実施形態を裏側から見た斜視図である。
【考案を実施するための形態】
【００１７】  本考案の一実施形態を、図４および図５に示す。また図１は、本考案の一実施形態の、携帯電話に装着した場合の使用例である。
【符号の説明】
【００１８】  １  指ストラップ本体
２  指を通す穴
３  粘着部
４  貼り付け基板
５  指
６  携帯機器
７  掛止本体
８  掛止保持体
９  指掛け部
１０  固定部
１１  携帯電話
【図１】
0003157380.tif 000003
【図２】
0003157380.tif 000004
【図３】
0003157380.tif 000005
【図４】
0003157380.tif 000006
【図５】
0003157380.tif 000007
(57)【要約】      （修正有）【課題】臨場感のあるゴルフ練習が可能な練習用ゴルフホールカップを提供する。【解決手段】軟質樹脂素材からなる円筒に底面を有する。円筒面には底面から頂上に向かって垂直に複数の切れ込みを施す。【選択図】図１
0003157372.tif 000002
【実用新案登録請求の範囲】
【請求項１】
軟質樹脂素材からなるホールカップであり、ホールカップの最上部円周上から、円形壁状斜めに設けられたフェンスに切り込みを底面に到達するまで複数ほどこしたことを特徴とした練習用ゴルフホールカップである。
【考案の詳細な説明】
【技術分野】
【０００１】  本考案は、屋内、またはゴルフ場練習グリーンで使用するパッティング練習専用のホールカップに関するものである。
【背景技術】
【０００２】  一般的には、ゴルフ練習用ホールカップは金属製、プラスチック製、ゴム製などの素材で存在している。この例として特許文献１に開示されたものがある。
【特許文献１】  特開  平−５４９３７号広報  また、ゴムなどの軟質樹脂の一体成形加工された図２のゴルフ練習専用ホールカップが存在している。
【考案の開示】
【考案が解決しようとする課題】
【０００３】  ゴルフ練習用ホールカップとしては、図２に代表される底面から斜めに一体型フェンス５を巡らせて、パターで打たれたゴルフボールは、一体型斜めフェンス５を乗り越えて、底面２に到達し、カップインする構造であるが、ナイスタッチでゆっくり転がしてボールを打つと殆ど斜めフェンス５に弾かれて、カップインすることができない。強めにパッティングしないとカップインできない構造であり、実際のゴルフ場パッティンググリーンにあるホールカップの感覚と大きく異なってしまい、臨場感のあるゴルフ練習ができないという課題がある。
【課題を解決するための手段】
【０００４】  課題を解決するために、図１のゴルフ練習用ホールカップは、斜めフェンスの天面４より、斜めフェンス面に沿って、垂直に底面２に到達する切れ込み７を入れる。切れ込み７の間隔はゴルフボール１個分の約４２ｍｍ程度である。【０００５】  弱い転がりのボールが殆どカップインできない原因は、図２の一体型斜めフェンスのボールを押し戻す力が強いことにある。図１のように切れ込み７を入れることで、斜めフェンスは、それぞれの１ブロックのみでボールを受けることになり、図３のようにボールの力に負けてカップインするように改善できる。
【考案の効果】
【０００６】  ナイスタッチ、ジャストタッチでパッティングされたゴルフボールは、カップインする確率が格段に上がり、実際のゴルフ場パッティンググリーンのホールカップの感覚に近づき、臨場感のあるゴルフ練習が可能になる。
【考案を実施するための最良の形態】
【０００７】  本考案練習用ゴルフホールカップは、軟質プラスチック、ゴムなどで金型一体成形が可能である。最良の形態としては、肉厚を１乃至３ｍｍ程度とし、図１にあるフチ１を取り除いた構造にする。フチは、ゴルフボールが当たった場合、若干の違和感を与えてしまうことがある。【０００８】  図１にあるように、斜めフェンス天面より、フェンスの傾斜に沿って垂直に切れ込み７を入れる。切れ込み７の幅は、１乃至３ｍｍ程度とする。【０００９】  切れ込み７の間隔は、斜めフェンス天面の円周上で設定する。ゴルフボールの直径とほぼ同じ大きさ、４２ｍｍ程度とする。切れ込み７は８本程度になる。
【図面の簡単な説明】
【００１０】
【図１】  本考案練習用ゴルフホールカップの斜視図である。
【図２】  従来の練習用ゴルフホールカップの斜視図である。
【図３】  本考案練習用ゴルフホールカップにゴルフボールがカップインする時の斜視図である。
【符号の説明】
【００１１】  １                  フチ
２                  底面
３                  斜めフェンスブロック
４                  斜めフェンス天面
５                  一体型斜めフェンス
６                  ゴルフボール
７                  切れ込み
【図１】
0003157372.tif 000003
【図２】
0003157372.tif 000004
【図３】
0003157372.tif 000005
【手続補正書】
【提出日】平成21年11月5日(2009.11.5)
【手続補正１】
【補正対象書類名】実用新案登録請求の範囲
【補正対象項目名】全文
【補正方法】変更
【補正の内容】
【実用新案登録請求の範囲】
【請求項１】
軟質樹脂素材からなる円筒に底面を有したホールカップであり、円筒面には底面から頂上に向かって垂直に複数の切れ込みを施したことを特徴とした練習用ゴルフホールカップ。
(57)【要約】【課題】メジロなど小さな弱い野鳥を対象に、他の野鳥から身を守りながら餌を与えられ、観察可能な鳥かごを提供することを目的とする。【解決手段】かご本体１は、左右側面、背面、上面が格子２で構成され、前面には観察用に透明板３がはめ込まれている。底面にはその四隅の位置に水切り穴５（直径約２ｃｍ）を有する受け皿４がある。なお、上面は、雨よけのための屋根をつけてもよい。格子がはめ込まれている面は、いずれも鳥の出入り口となり、格子状の隙間の間隔は、全て１３〜２５ミリである。鳥かご本体１は、ペンキやニス等で塗り、防水処理が施されている。【選択図】図１
0003157376.tif 000002
【実用新案登録請求の範囲】
【請求項１】
四角形の面で構成される略六面体であって、左右側面、背面及び／又は上面が、格子で構成され、当該格子の間隔が１３〜２５ミリであることを特徴とする鳥かご。
【請求項２】
底面に、四隅に水切り穴を有する受け皿を備えていることを特徴とする請求項１に記載の鳥かご。
【請求項３】
前面に透明板を有することを特徴とする請求項１又は２に記載の鳥かご。
【考案の詳細な説明】
【技術分野】
【０００１】  本考案は、鳥かごに係り、特に、野鳥の餌ずけ観察用鳥かごに関するものである。
【背景技術】
【０００２】  従来、鳥かごについては、鳥を傷つけないことや、糞の洗浄などを目的とした工夫が中心であった。また、例えば特許文献１に、小鳥の飛散防止を目的としたカバーも開示されているが、メジロなど小さな弱い野鳥に対して、他の野鳥から身を守りながら餌を与えられる技術は開示されていない。
【先行技術文献】
【特許文献】
【０００３】
【特許文献１】特開２００４−２２９６２２号公報
【考案の概要】
【考案が解決しようとする課題】
【０００４】  鳥かごがない場合は、餌を外に置くことになるが、メジロ等の小さな弱い鳥は大きい鳥に追われたり、傷つけられたりされ、餌が思うように食べられない。本考案は、以上のような問題点を解決する技術を提供することを目的とする。
【課題を解決するための手段】
【０００５】  本考案は、鳥かごであって、四角形の面で構成される略六面体であって、左右側面、背面及び／又は上面が、格子で構成され、当該格子の間隔が１３〜２５ミリであることを特徴とする。【０００６】  また、鳥かごの底面に、四隅に水切り穴を有する受け皿を備えていることを特徴とする。【０００７】  さらに、鳥かごの前面に透明板を有することを特徴とする。
【考案の効果】
【０００８】  本考案の鳥かごを用いることにより、小さな野鳥（メジロ等）が、他の鳥から身を守りながら餌を得ることが出来る。また、鳥の映像撮影により生態観察記録が容易に出来る。さらに、鳥かごには、受け皿の四隅に水切り穴が設けてあり、清掃が楽に出来る。
【図面の簡単な説明】
【０００９】
【図１】本考案の鳥かごの斜視図である。
【考案を実施するための形態】
【００１０】  以下、本考案を実施するための形態について、図を参照して説明する。図１は、本考案の鳥かごの斜視図である。かご本体１は、左右側面、背面、上面が格子２で構成され、前面には透明板３がはめ込まれている。底面には受け皿４がある。なお、上面は、雨よけのための屋根をつけてもよい。格子がはめ込まれている面は、いずれも鳥の出入り口となる。格子状の隙間の間隔は、全て１３〜２５ミリである。いずれの面も格子間隔は同じである。前面は、観察用に透明板である。当該透明板は、硝子又はアクリル樹脂等の合成樹脂である。受け皿４は、汚れを除去するための引き出し状で、その四隅の位置に水切り穴５（直径約２ｃｍ）を開ける。鳥かご本体１は、ペンキやニス等で塗り、防水処理されている。対象となる野鳥は、メジロ等の小さく弱い鳥である。この鳥かごは、餌ずけ観察用に用い、メジロ等の小鳥が集まりそうな時期、場所に設置する。
【符号の説明】
【００１１】    １  鳥かご本体
２  格子
３  透明板
４  受け皿
５  水切り穴
【図１】
0003157376.tif 000003
(57)【要約】      （修正有）【課題】装飾和紙を使い加熱成形した、美観性が高く、成形強度や湿度変化に強い、立体装飾品を提供する。【解決手段】和紙の原紙はプラスチックフィルム１３を芯材としサンドイッチ構造とした強化和紙１１とする。形態を安定させるために、熱成型のプレス押し型の温度を８０〜１２０度とする。原紙は装飾強化和紙を使用し、装飾加工材料１４は伝統的な顔料１５や雲母１６をニカワベースで使用する。【選択図】図２
0003157307.tif 000002
【実用新案登録請求の範囲】
【請求項１】
プラスチックフィルムを和紙にてサンドイッチ構造とした装飾強化和紙を押し型加熱成形したことを特徴とする立体装飾品。
【考案の詳細な説明】
【技術分野】
【０００１】この考案は、和紙の立体装飾品に関する。
【背景技術】
【０００２】従来の和紙においては、さまざまなものがあるが熱成形を行い美観性や強度を保持することが難しく、一般的には熱成形に使用されることは無かった。
造花用紙として、特許文献１に開示されるが如くワセリン等を塗布することを特徴としたものは試みられ、特許文献２に開示されるが如く模様を簡単に付けて造花を作ることも試みられた。しかし、美観性の保持や形態の強度などが十分とは言えない。
一方、立体成形についてはコサージュ等のように布を型抜きして熱成形することは一般的技術である。
【先行技術文献】
【特許文献】
【０００３】
【特許文献１】  特開平２−２００８９９
【特許文献２】  特開２００６−１３２０５０
【考案の概要】
【考案が解決しようとする課題】
【０００４】和紙の美観性を向上させながら加熱成形を可能とし成形強度や湿度変化への強度の向上を解決する。
コサージュなどの材料は布を使っておりとくに湿度等の変化に弱く形態の安定性は短く改善が求められていた。また、材料費の面及び作業性の改善も解決すべき課題であった。
【課題を解決するための手段】
【０００５】本考案は、上記の課題を解決するものである。
和紙の原紙はプラスチックフィルムを芯材としサンドイッチ構造とした強化和紙とする。
形態を安定させるためには熱成型のプレス押し型の温度を８０〜１２０度とするのが適当である。
原紙は装飾強化和紙が最適で、一般の和紙では型崩れの恐れがある。また、上記温度よりも低い時も型崩れの恐れがある。さらに高い場合は紙自体の劣化が大きすぎる。
装飾加工材料は伝統的な顔料や雲母をニカワベースでの使用が美観保持に適する。
【考案の効果】
【０００６】装飾強化和紙を押し型加熱成形することにより、湿度変化に強く作業性も改善され美観性をも保持できる立体装飾品が得られる。
【図面の簡単な説明】
【０００７】
【図１】本考案和紙の立体装飾品の１例を示す斜視図である。
【図２】本考案に用いる装飾強化和紙の１例を示す斜視図である。
【図３】本考案立体装飾品を製造する際の押し型加熱成形の１例を示す概略図である。
【考案を実施するための形態】
【０００８】この形態は考案の代表的な実施の形態の例である。
図１は、装飾強化和紙１１を型抜きした後に押し型加熱成形により花の形の立体装飾品１０としたものである。
図２は、装飾強化和紙１１を示しており、和紙１２がプラスチックフィルム１３の両面に貼り合わせてあり装飾層１４は和紙１２に彩色層１５と雲母引き層１６を装飾加工したものである。プラスチックフィルム１３は塩化ビニール樹脂かポリエステルフィルムが適当である。
図３は、装飾強化和紙１１を型抜き後、温度管理をした加熱成形用押し型１７にて立体成形する図である。
【産業上の利用可能性】
【０００９】立体装飾材としてインテリア用品、インテリア照明用セードやコサージュなどのアパレル用装飾材及び防水性のすぐれた面から雨の日用装飾材などにも用いることができる。
【符号の説明】
【００１０】１０立体装飾品
１１装飾強化和紙
１２和紙
１３プラスチックフィルム
１４装飾層
１５彩色層
１６雲母引き層
１７押し型
【図１】
0003157307.tif 000003
【図２】
0003157307.tif 000004
【図３】
0003157307.tif 000005
(57)【要約】      （修正有）【課題】就寝中に地震等の災害が発生した場合に、すぐに持ち出すことができる必需品収納枕を提供する。【解決手段】３ケ所の収納スペースを設けた引き出しを入れた収納箱８の上下をクッション材９で囲み、袋状のクッションカバー１１と、チャック１０を付けた枕カバー１２を被せた。更に下面に背負い紐を取り付けた。【選択図】図２
0003157309.tif 000002
【実用新案登録請求の範囲】
【請求項１】
前面の空いた平べったい外箱１に仕切り板３、４を設けた引き出し２を入れた収納箱８を内蔵することを特徴とする個人の必需品収納枕。
【請求項２】
引き出しを入れた収納箱８の上、下にクッション材９で囲み前面にチャック１０を取り付けた枕カバー１２を被せ、更に枕の下面に背負い紐１３、１４を取り付けたことを特徴とする個人の必需品収納枕。
【考案の詳細な説明】
【考案の詳細な説明】
【技術分野】
【０００１】  本考案は、就寝中に地震等の災害が発生した場合、個人の必需品である入れ歯、眼鏡、持病の薬等を直ぐ持ち出せるように収納する用具に関する。
【背景技術】
【０００２】  就寝前に、入れ歯は水の入った容器に入れ洗面所の棚に置いたり、眼鏡は就寝時に外して棚やテーブルの上に置いたり、持病の薬は別の場所に保管していた。
【考案が解決しようとする課題】
【０００３】  本考案は、前記従来の技術で述べた収納のような別々の場所で保管することを無くし、更に落下して散乱したものを探すことを無くし、又直ぐに持ち出すことが出来るようにすること。更に両手を空けて避難することが容易になることを課題とした。
【課題をを解決するための手段】
【０００４】  外箱１の中に、３ケ所の収納スペース５、６、７を設けた引き出し２を入れた必需品収納箱８の上、下をクッション材９で囲み、袋状のクッションカバー１１を被せたものに、チャック１０を付けた枕カバー１２を被せ、更に個人の必需品収納枕の下面に背負い紐１３、１４及びマジックテープ１５、１６を取り付けた。
【考案を実施するための形態】
【０００５】  図１は、本考案の基本的実施例を示すもので、厚さ５ｍｍの板で、縦１８０ｍｍ、横３２０ｍｍ、高さ６０ｍｍの前面の空いた外箱１に縦４０ｍｍ、横１７０ｍｍの仕切り板３、４を左、右の側板からそれぞれ８０ｍｍの位置に取り付けた引き出し２を設けた。
図２の実施例では、外箱１に引き出し２を収めた収納箱８の上、下に、縦４００、ｍｍ、横６００ｍｍのクッション材９で囲み、縦４０５ｍｍ、横６０５ｍｍの袋状のクッションカバー１１を被せ、それに縦４１０ｍｍ、横６１０ｍｍの袋状のカバーの前面に、長さ４００ｍｍのチャック１０を取り付けた枕カバー１１被せた。
図３の実施例では、個人の必需品収納枕の下面に幅４０ｍｍ、長さ６００ｍｍの背負い紐１３、１４及びマジックテープ１５、１６を取り付けた。
【考案の効果】
【０００６】  個人の必需品である入れ歯、眼鏡、持病の薬を１ケ所に纏め、個人の必需品収納枕の中に収納し、就寝時は枕を使うのでいざと言う時一々探す必要がなく、直ぐ持ち出すことができ、直ちに避難することが出来る。
【図面の簡単な説明】
【図１】本考案の個人の必需品を収納する収納箱の斜視図である。
【図２】本考案の必需品収納箱を内蔵した個人の必需品収納枕の斜視図及び断面図である。
【図３】本考案の個人の必需品収納枕の下面に背負い紐を取り付けた斜視図である。
【符号の説明】      １  外箱
２  引き出し
３  仕切り板
４  同  上
５  入れ歯収納スペース
６  持病の薬収納スペース
７  眼鏡収納スペース
８  枕に内蔵した必需品収納箱
９  クッション材
１０  チャック
１１  クッションカバー
１２  枕カバー
１３  背負い紐
１４  同  上
１５  マジックテープ
１６  同  上
【図１】
0003157309.tif 000003
【図２】
0003157309.tif 000004
【図３】
0003157309.tif 000005
(57)【要約】      （修正有）【課題】電気自動車、ハイブリッド車の低騒音車に用いる警報音出装置を提供する。【解決手段】フロントディスクローターの回転が持続５０Ｋｍ／ｈ〜６０Ｋｍ／ｈ以下になると警報音を発生させ、速度が落ちて行くと微音が大きくなる。したがって車が接近しているなと分かる。ブレーキキャリパー内部に微音鈴を用いて歩行者、通行人に注意を喚起することができる。【選択図】図１
0003157320.tif 000002
【実用新案登録請求の範囲】
【請求項１】
一対のディスクローター（２）とキャリパーからなるフロントディスブレーキを備えた自動車であって、一対のディスクローター（２）は、中央部に舌片を備えた複数の支柱により係止されたことを特徴とする騒音警報装置付自動車
【請求項２】
フロントディスブレーキのキャリパー内に微音鈴を内蔵したことを特徴とする請求項１記載の騒音警報装置付自動車
【請求項３】
請求項２記載の微音鈴はステンレス材により作られたことを特徴とする請求項２記載の騒音警報装置付自動車
【請求項４】
請求項３記載の微音鈴を溶接固定した板バネをキャリパー内部取り付けることにより、車速が速くなると風力により板バネが曲がり微音鈴がキャリパー内部の側壁に押しつけられ音が出なくなることを特徴とする請求項３記載の騒音警報装置付自動車
【考案の詳細な説明】
【技術分野】
【０００１】
本考案は、電気自動車、ハイブリッド車などの低騒音車両に適用され、警報手段から車外に警報音を発生させて当該車輌の存在を車外に知らせるようにした低騒音警報音出装置に関する。
【背景技術】
【０００２】
電気自動車、ハイブリッド車などの低騒音車輌では、低速走行時にモーターで走行するため、騒音が少なく歩行者や通行人等が当該車輌の接近に気づかないことがある。
【０００３】
現在の音出装置の開発は車速に応じて音圧を変化させ歩行者、通行人等に知らせる警報音を発する物がある。
【先行技術文献】
【特許文献】
【０００４】
【特許文献１】特開２００５−３４３３６０号公報
【考案の概要】
【考案が解決しようとする課題】
【０００５】
電気自動車、ハイブリッド車にエンジン音がなく静音のため歩行者、通行人に車の接近を促す音出装置を考案する。
【０００６】
ブレーキキャリパー内部に微音鈴を用いて歩行者、通行人に注意を喚起することができる。
【課題を解決するための手段】
【０００７】
フロントディスクローターの回転とブレーキキャリパー内部の風圧を利用して微音の鈴の音色を出す。
【０００８】
フロントディスクローター（２）、団扇状にすることで風を起こす。
【０００９】
風が（４）に当たることによって動いて（２）の接地面から離れて電気自動車、ハイブリッド車独自の運転走行ができる。
【００１０】
フロントディスクローター（２）団扇状と（２）棒状を交互に設けることにより音が効率よく鳴る。
【００１１】
フロントディスクローターの回転が速くなれば接地面が近くなり音が小さくなる。
【００１２】
フロントディスクローターの回転が遅くなれば音が大きくなる。
【００１３】
（6）スズの形状は（２）の接地面に耐えるよう厚くしてある。
【００１４】
鈴が耐熱、耐食バネと固定され板バネとブレーキキャリパーの頭部辺りに（７）高力ボルト及び（８）高力ナットでしっかり固定する。
【００１５】
図３、（１１）弾性吸収材を用いてスズを安定させる。
【図面の簡単な説明】
【００１６】
【図１】風力走行車両微音鈴ベルが付いている所の全体図である。
【図２】ブレーキキャリパーに固定された微音鈴とフロントディスクローターに接している断面図である。
【図３】ブレーキキャリパー内部、側面断面図である。
【図４】ブレーキキャリパー内部、正面断面図である。
【図５】フロントディスクローターの回転で風力が起こり、鈴が浮いている姿図である。
【図６】鈴の断面図である。
【図７】微音鈴内部の説明図である。
【符号の説明】
【００１７】
１    フロントディスクローター
２    団扇状補強ディスク
２’  棒状補強ディスク
３    キャリパーヘッド
４    耐熱、耐食バネ
５    ハブ
６    耐熱、耐食鈴
７    高力ボルト
８    高力ナット
９    座金
１０    弾性ゴムパッキン
１１    ビス
【図１】
0003157320.tif 000003
【図２】
0003157320.tif 000004
【図３】
0003157320.tif 000005
【図４】
0003157320.tif 000006
【図５】
0003157320.tif 000007
【図６】
0003157320.tif 000008
【図７】
0003157320.tif 000009
(57)【要約】      （修正有）【課題】携帯の利便性を確保すると共に、周壁の折り畳みが可能でありながらコップとしての伸長形態で液体収納時及び把持時の強度を確保できるようにした携帯容器を提供する。【解決手段】直線短円筒形状の直線リング体３と、逆円錐台短筒形状の傾斜リング体４とを、肉薄部５を介して交互に順次連設して周壁２を形成し、最下端の直線リング体３に底板６を連設した構成で、周壁２に上下方向から力を加えて肉薄部５で傾斜リング体４を反転させることにより、周壁２を折り畳む。【選択図】図１
0003157314.tif 000002
【実用新案登録請求の範囲】
【請求項１】
直線短円筒形状の直線リング体（３）と、逆円錐台短筒形状の傾斜リング体（４）とを、肉薄部（５）を介して交互に順次連設して周壁（２）を形成し、最下端の前記直線リング体（３）に底板（６）を連設したことを特徴とする携帯容器。
【考案の詳細な説明】
【技術分野】
【０００１】
本考案は、主として屋外で使用するための携帯容器に関するものである。
【背景技術】
【０００２】
屋外で飲料を飲むためにコップを持参することは通常であり、その場合軽量であることや手軽であること、使い捨てができること等から、多数の紙製のコップをスタッキングしてバッグ等に収納することが行われてきた。しかしながら、そのようにしても嵩張ることには違いなく、持参時に潰してしまうといった不満が残る。
【０００３】
このため、嵩張らずに持運び易い容器として、以下の如き考案の提案がなされている。
【先行技術文献】
【特許文献】
【０００４】
【特許文献１】実開平７−１９３２７号公報
【特許文献２】実用新案登録第３０５４４５９号公報
【考案の概要】
【考案が解決しようとする課題】
【０００５】
特許文献１の考案「コップ構造」は、周壁部が弾性を有する薄肉の一体成形体であり、つづら折り状に弾性的に収縮させて畳む構成であるが、弾性を有する薄肉であるために、また、逆円錐台短筒と円錐台短筒との単純な連続であるので、コップとしての伸長形態で上下から及び側方からの圧力に極めて弱く、液体を収納した状態で把持しようとしても変形し易く、従って飲みにくいばかりでなく、熱湯のようなものを収納した場合には危険ですらある。
【０００６】
また、特許文献２の考案「携帯用コップ」は、複数の帯状部と複数の折畳部とを交互に設けて伸縮可能にし、それぞれの帯状部を、その直下の帯状部外径よりやや大きく形成した構成であるが、折り畳む際に反転するように折畳部は帯状部より肉薄であるので、上記特許文献１の考案と同様にコップとしての伸長形態で上下から及び側方からの圧力に極めて弱く、変形し易く飲みにくい等の欠点がある。
【０００７】
よって本考案は、上述した従来技術の欠点、不都合、不満を解消するべく開発された携帯容器であって、携帯の利便性を確保すると共に、周壁の折り畳みが可能でありながらコップとしての伸長形態で液体収納時及び把持時の強度を確保できるようにすることを目的とする。
【課題を解決するための手段】
【０００８】
上記課題を解決するため、本考案の携帯容器は、直線短円筒形状の直線リング体と、逆円錐台短筒形状の傾斜リング体とを、肉薄部を介して交互に順次連設して周壁を形成し、最下端の前記した直線リング体に底板を連設したことを特徴とする。
【考案の効果】
【０００９】
上記した本考案にあって、周壁は直線リング体と逆円錐台短筒形状の傾斜リング体とにより形成され、両者は肉薄部を介して連続しており、直線リング体の存在により上下方向及び側方からの負荷に対する耐圧性に優れ、液体を収納した状態で外方への膨出変形が殆ど生じないため、安定してその形態を維持できるだけでなく、把持した際に内方へのへこみ変形も殆ど生じないので、取り扱い易いばかりでなく安全性を確保することができる。
【００１０】
また、周壁の伸長姿勢で上下方向から力を加えると、肉薄部部分で逆円錐台短筒形状の傾斜リング体が反転し、反転したこの傾斜リング体の内部に下位の直線リング体が嵌り込み、周壁を簡単に折り畳むことができ、全体として嵩張らないので携帯に極めて便利である等、本考案は多くの優れた作用効果を奏する。
【図面の簡単な説明】
【００１１】
【図１】携帯容器の一例を示す断面図である。
【図２】同じく正面図である。
【図３】同じく底面図である。
【図４】周壁を折り畳み且つ蓋体を被せた状態を示す断面図である。
【考案を実施するための形態】
【００１２】
本考案の携帯容器１は、周壁２を直線短円筒形状の直線リング体３と、逆円錐台短筒形状の傾斜リング体４とを、肉薄部５を介して交互に順次連設して形成したものであり、最下端の前記した直線リング体３に底板６を連設してコップ容器を構成するものである。
【実施例】
【００１３】
シリコン樹脂やエラストマー樹脂等の弾性樹脂で一体成形される携帯容器１にあって、周壁２の最上位に位置する直線リング体３は比較的肉厚であって、下位の傾斜リング体４との段差部に指を掛けることにより伸長状態の携帯容器１を容易に把持することができるだけでなく、把持した際の側方からの外力に対して充分の耐圧性を具備し、また、肉厚であるが故に口をつけて収納液体を飲む際に変形しないので飲み易い利点がある。
【００１４】
また、底板６の一部には側方に突出する舌片７が設けられており、周壁２が折り畳まれた状態でこの舌片７を下方に引き出すことにより、周壁２の伸長姿勢とすることができる。
【００１５】
周壁２の折り畳まれた状態は、その高さ幅が直線リング体３或いは傾斜リング体４の高さ幅であるので、コンパクトな取り扱いができる。
【００１６】
そして、この図４で周壁２の折り畳まれた状態で、最上位の直線リング体３に蓋体８を被せることにより、不使用時の衛生が確保され、或いは周壁２の伸長状態での液体収納時の衛生やその保温・保冷を確保することができる。
【符号の説明】
【００１７】
１  携帯容器
２  周壁
３  直線リング体
４  傾斜リング体
５  肉薄部
６  底板
７  舌片
８  蓋体
【図１】
0003157314.tif 000003
【図２】
0003157314.tif 000004
【図３】
0003157314.tif 000005
【図４】
0003157314.tif 000006